【事件の表示】
　特願２０００−６１９２９６「特注衣類の遠隔製造方法」拒絶査定不服審判事件〔平成１２年１１月３０日国際公開、ＷＯ００／７０９７６、平成１５年　１月　７日国内公表、特表２００３−５００５５３、請求項の数（１６）〕について、次のとおり審決する。
【結　論】
　原査定を取り消す。
　本願の発明は、特許すべきものとする。
【理　由】
１．本件出願の概要および本件発明
　本件は、平成１３年１１月２６日に特願２０００−６１９２９６号として出願され、国際出願ＰＣＴ／ＵＳ００／１４４７９号を基礎とする優先権主張を伴うものであって、その優先日は、平成１１年５月２６日である。そして、その請求項１に係る発明は、平成１７年１月２４日付け手続補正書に記載された下記のとおりのものと認められる。
　
【請求項１】特定の顧客用の衣服を、該顧客が提供した測定値を用いて製造するための装置であって、コントローラと、前記コントローラとの間で通信を行い、顧客が助けを借りることなく容易に求めることのできる顧客寸法に関する、少なくとも身長、体重、ウエスト、靴のサイズおよび股下を含む詳細な適合情報であって、選択した衣服を製造するための詳細な適合寸法を推定するのに最低限必要である情報を入力するよう顧客に要求するためのユーザインタフェースと、前記コントローラとの間で通信を行い、前記選択した衣服を製造するのに必要な詳細な適合寸法を、前記詳細な適合情報を使用して少なくとも１つ推定するための規則であって、ＢＭＩ、Ｃ指数、ＨｔＰｒｏｐのうち少なくとも１つを用いた規則を含むコンピュータメモリと、前記コンピュータメモリに含まれる規則を用いて、前記詳細な適合情報から前記選択した衣服を製造するのに必要な詳細な適合寸法を推定し、当該推定された詳細な適合寸法の各々を用いてパターンデータを求めるためのパターン作成プログラムと、前記データを使用して、顧客が選択した衣服を製造すべく縫合される布地のパーツを裁断する製造設備に前記パターンデータを送信するための手段と、を備える装置。
　
２．原査定の概要および引用文献の記載事項
　原査定は、本件優先日の日以前に公知であった刊行物である特開平１１−１８１４号公報(以下「引用文献１」という）を提示して、本件出願が、特許法第２９条第２項の規定により特許を受けることができないとしたものである。引用文献１には、下記の事項が記載されている。
　
【００４３】また、この選択装置は公衆回線などを通じて遠隔地にある縫製工場の型紙作成装置等に接続されており、型紙作成装置の標準体型型紙データベース（標準体型の型紙を記憶したもので、この型紙をもとに個人の体型にあうよう修正し、個人体型型紙を作成する）と選択装置のデザインデータベースはデザインコードをキーデータとして対応つけられている。また、別の態様として、選択装置の設置された小売り店舗内のLAN(Local Area Network)を通じて型紙作成装置に接続されていてもよい。　　　　
　
【００６２】さらに、以上の手順に引き続き、店員は客の体型分類の設定を行う。ここでは、店員が客の体型が予め設定された体型の図７の分類表の中でどの分類に属するかを判断し、デザイン画像のモデルの体型を客の体型に近づけるため予め設定されている分類体型のうちから選択する。分類表は、例えば表のように背が高く痩せている、中背で太っているなどの体型の特徴を表現可能なように作成する。　　　
　
【００８５】次にパーツデータ作成工程ではまず店員が客の採寸を行い、採寸値から個人対応グレーディングシステムにより、採寸された客の体形に合った服の型紙またはパーツデータが作成される。　
　　　
【００８６】　ここで使用される個人対応グレーディングシステムは図１６のように採寸値を入力し、データベースに登録する採寸情報入力システムと、標準体形パーツデータ（基準体型者用基本パーツデータ）を客の体形に合ったパーツデータに変形を行い１着分の生地を裁断するための最適な型紙配置を行うグレーディング・マーキングシステムから構成される。これらのシステムはそれぞれ個々の装置であるが、同一装置上で両方のシステムを実現してもよい。
　
【００８７】【表１】　採寸情報入力システムでは、表１のように予め指定された採寸項目の中から店員が客を採寸した結果と客の姓名や住所などの情報を共にシステム内のデータベースに登録し、必要に応じてデータベースに登録された採寸値からパーツ（型紙）の大きさや形状を変化させるための補正データをグレーディングシステムに提供する。
　
【００８８】ここで店員が入力するのは基準体型の基準となる服と、客に合う服のサイズとの差のある部分の差寸値であるが、着用者（顧客）の体をメジャーで測定した実寸法を入力する方法や、非接触の測定装置により光学的に測定されたデータを使用する方法でもよい。また、表２のような姿勢補正の項目については強、弱等の程度を表す値として入力することにより、複雑な測定をする必要が無くなり、熟練した採寸者でなくとも、これらの値を判断し入力することが可能になる。  
　
　してみると、引用文献１には下記の発明が記載されていると認められる。
　
　客用の衣料を、店員が採寸した客の実寸値を用いて製造するための装置であって、実寸値と店員により設定される体型情報を入力し、標準体型データを、体型情報により体型にあったパーツデータに変形するための補正データを提供する採寸情報入力システム、および該標準体型パーツデータに変形を行い１着分の生地の裁断をするための最適な型紙配置を行うグレーディングシステム、を備え、公衆回線などを通じて遠隔地にある縫製工場の型紙作成装置等に接続されている装置。
　
３．対比・判断
　請求項１に係る発明と、引用文献１に記載された発明を対比すると、後者の「公衆回線」などを通じて「接続」，「実寸値」、「採寸情報入力システム」、「グレーディングシステム」が、前者の「通信」，「測定値」あるいは「適合情報」，「コントローラ」、「パターンデータ作成プログラム」にその機能上相当することから、両者は下記の点で一致し、
　
　客用の衣服を、測定値を用いて製造するための装置であって、コントローラと、前記コントローラとの間で通信を行い、顧客寸法に関する、適合情報であって、選択した衣服を製造するための詳細な適合寸法を推定するのに最低限必要である情報を入力するよう顧客に要求するためのユーザインタフェースと、前記コントローラとの間で通信を行い、前記選択した衣服を製造するのに必要な詳細な適合寸法を、規則を用いて、前記詳細な適合情報から前記選択した衣服を製造するのに必要な詳細な適合寸法を推定し、当該推定された詳細な適合寸法の各々を用いてパターンデータを求めるためのパターン作成プログラムと、前記データを使用して、顧客が選択した衣服を製造すべく縫合される布地のパーツを裁断する製造設備に前記パターンデータを送信するための手段と、を備える装置。
　
下記の点で相違すると認められる。
　
　請求項１に係る発明が、顧客が入力した寸法値に用いて「ＢＭＩ、Ｃ指数、ＨｔＰｒｏｐのうち少なくとも１つを用いた規則を用いて、前記詳細な適合情報から前記選択した衣服を製造するのに必要な詳細な適合寸法を推定し」て、パターンデータを求めているのに対して、引用文献１においては単なる店員が採寸した実寸値および店員が設定した「体型情報」に基づいて、標準体型データに対して、体型に合った補正データを作成している点。
　
　上記相違点について検討する。引用文献１に記載された発明においては、体型情報とは店員により設定されるものであるから、顧客自身以外の者の助けを借りるものである。引用文献１に記載された発明においては、体型情報からどのように補正データが導かれるのかが具体的な実施例としては開示されていないが、「顧客の申告したウエストサイズが小さめであっても、ぴったりと合っているズボンを製造できる」という効果が得られるとは認められない。
　一方請求項１に係る発明は、上記「ＢＭＩ、Ｃ指数、ＨｔＰｒｏｐのうち少なくとも１つを用いた規則」を適用することについて、本件明細書【００３６】には、本件請求項１の「ＢＭＩ、Ｃ指数、ＨｔＰｒｏｐのうち少なくとも１つを用いた規則」の実施例として、パターンデータのもととなる各種寸法値につき、顧客が入力した「助けを借りることなく容易に求めることのできる顧客寸法」を用いて、パターンデータ作成時に求めるべき各種寸法を詳細に決定する実施例が具体的に示され、さらに【００３９】欄には、顧客の申告したウエストサイズが小さめであっても、上記「ＢＭＩ、Ｃ指数、ＨｔＰｒｏｐのうち少なくとも１つを用いた規則」の適用によりぴったりと合っているズボンを製造できる点が示されている。
　また、上記相違点で上げた請求項１に係る発明の構成は、当該技術分野において自明なものとは認められないし、周知の事項とも認められない。そして、請求項１に係る発明は、上記相違点により、
「顧客が第三者の助けを借りることなく、容易に確認できる情報に基づいて特注で体型のあった衣服を製造できる」という格別の効果を奏するものである。
　であるから、請求項１に係る発明は、引用文献１に記載された発明から当業者が、上記相違点についてその構成も、特有の作用効果についても予測できたものとは認められない。
　
　また、請求項１の引用請求項である請求項２ないし５も、同様に新規性および進歩性を否定できない。また、請求項１−５に係る発明について、その他の拒絶理由を発見できない。
　
４．請求項６−１０について
　請求項６に係る発明は、請求項６に記載された下記のものと認められる。
　
【請求項６】　顧客が選択した特注の衣服を製造するのに使用可能なパターンデータ を作成するための装置であって、
　コントローラと、　顧客と通信を行うために前記コントローラとの間で通信を行い、顧客が助けを借りることなく容易かつ実質的に正確に確認することのできる顧客寸法に関する、少なくとも身長、体重、ウエスト、靴のサイズおよび股下を含む詳細な適合情報であって、選択した衣服についてのパターンデータを作成するための詳細な適合寸法を推定するのに最低限必要である情報を入力するよう顧客に要求するためのユーザインタフェースと、　前記コントローラとの間で通信を行い、選択した衣服に対するパターンデータを作成するのに必要な詳細な適合寸法を、前記詳細な適合情報を使用して推定するための規則であって、ＢＭＩ、Ｃ指数、Ｈｔ Ｐｒｏｐのうち少なくとも１つを用いた規則を含むコンピュータメモリと、前記コンピュータメモリに含まれる規則を用いて、前記詳細な適合情報から前記選択した衣服を製造するのに必要な詳細な適合寸法を推定し、当該推定された前記詳細な適合寸法を使用してパターンデータを作成するためのパターン作成プログラムと、を備える装置。
　
　上記相違点について検討する。
　請求項６に係る発明と引用文献１に記載された発明との間には、下記の相違点が認められ、これは、請求項１に係る発明について述べたものと同じである。
　請求項６に係る発明が、顧客が入力した寸法値に用いて「ＢＭＩ、Ｃ指数、ＨｔＰｒｏｐのうち少なくとも１つを用いた規則を用いて、前記詳細な適合情報から前記選択した衣服を製造するのに必要な詳細な適合寸法を推定し」て、パターンデータを求めているのに対して、引用文献１においては単なる店員が採寸した実寸値および店員が入力した「体型情報」に基づいて、標準体型データに対して、体型に合った補正データを作成している点。
　
　してみると、請求項６に係る発明は、請求項１について述べたように、その新規性あるいは進歩性を否定できない。また、その他の拒絶理由は発見しない。また、請求項６の引用請求項である請求項７−１０も同様である。
　
５．請求項１１−１６について
　請求項１１に係る発明は、下記のものと認められる。
　
【請求項１１】　特定の顧客の体型に合わせることを意図した特注の衣服を製造するのに使用可能なパターンデータを作成するための方法であって、
　少なくとも１つのベースパターンをコンピュータに格納し、残りのパターン点を拡大縮小して特注のパターンを作成するのに使用可能な詳細な寸法を前記少なくとも１つのベースパターンについて識別するステップと、　ユーザインタフェースを提供することにより顧客との間の通信を構築するステップと、選択した衣服に対応するベースパターンを拡大縮小するのに必要であり、かつ、顧客が助けを借りることなく容易に求めることのできる少なくとも身長、体重、ウエストサイズ、股下および靴のサイズを含む詳細な適合情報であって、詳細な適合寸法を推定するのに最低限必要である情報を提供するよう前記ユーザインタフェースを通じて顧客に要求するステップと、　コンピュータに格納された規則であって、ＢＭＩ、Ｃ指数、Ｈｔ Ｐｒｏｐのうち少なくとも１つを用いた規則と顧客が提供した詳細な適合報とを使用し、顧客が容易には求めることができず、かつ、衣服に対応したベースパターンを拡大縮小する上で必要な１以上の詳細な適合寸法を推定するステップと　顧客から提供された詳細な適合情報と推定された詳細な適合寸法とを使用してベースパターンから特注のパターンデータを生成し、従来のパターン縮尺変更プログラムを用いてベースパターンの残りのパターン点を同じ縮尺率にするステップと、を含む方法。
　
　請求項１１に係る発明と引用文献１に記載された発明との間には、下記の相違点が認められ、これは、請求項１に係る発明について述べたものと同じである。
　
　請求項１１に係る発明が、顧客が入力した寸法値に用いて「ＢＭＩ、Ｃ指数、ＨｔＰｒｏｐのうち少なくとも１つを用いた規則を用いて、前記詳細な適合情報から前記選択した衣服を製造するのに必要な詳細な適合寸法を推定し」て、パターンデータを求めているのに対して、引用文献１においては単なる店員が採寸した実寸値および店員が入力した「体型情報」に基づいて、標準体型データに対して、体型に合った補正データを作成している点。
　
　してみると、請求項１１に係る発明は、請求項１について述べたように、その新規性あるいは進歩性を否定できない。また、その他の拒絶理由は発見しない。また、請求項６の引用請求項である請求項１２−１６も同様である。
　したがって、原査定の理由により、本願を拒絶することはできない。 また、本願を拒絶すべき他の理由を発見しない。  
　
６．むすび
　よって結論のとおり審決する。